(57)【要約】【課題】昇降路におけるエレベータ装置の設置に利用できる空間を阻害することを抑制しつつエレベータ装置を梁に固定できるエレベータ金具を提供する。【解決手段】エレベータ装置３０が設けられる昇降路２６を構成する梁に固定される板状の梁固定板部５１と、エレベータ装置３０が固定される板状の装置固定板部５２と、を備えるエレベータ金具（５０）である。梁固定板部５１と装置固定板部５２とは、平行としつつ間隔を置いて並列されている。【選択図】図２
2019064826.tif 000002
【特許請求の範囲】
【請求項１】
エレベータ装置が設けられる昇降路を構成する梁に固定される板状の梁固定板部と、
前記エレベータ装置が固定される板状の装置固定板部と、を備え、
前記梁固定板部と前記装置固定板部とは、平行としつつ間隔を置いて並列されていることを特徴とするエレベータ金具。
【請求項２】
前記梁固定板部と前記装置固定板部とは、単一の板材料が曲げられて形成されていることを特徴とする請求項１に記載のエレベータ金具。
【請求項３】
前記梁固定板部と前記装置固定板部とは、補強リブで連結されていることを特徴とする請求項１または請求項２に記載のエレベータ金具。
【請求項４】
前記装置固定板部には、長尺方向と直交する方向に伸びる長尺な長穴とされたネジ穴が設けられていることを特徴とする請求項１から請求項３までのいずれか１項に記載のエレベータ金具。
【請求項５】
請求項１から請求項４までのいずれか１項に記載のエレベータ金具が前記梁に対して鉛直方向で重なって設けられていることを特徴とする建物。
【請求項６】
前記エレベータ金具は、前記エレベータ装置におけるガイドレールを前記梁に固定していることを特徴とする請求項５に記載の建物。
【請求項７】
前記エレベータ金具は、前記エレベータ装置における建物側扉機構を前記梁に固定していることを特徴とする請求項５または請求項６に記載の建物。
【発明の詳細な説明】
【技術分野】
【０００１】
本開示は、エレベータ装置を設けるためのエレベータ金具、およびそれが用いられた建物に関する。
【背景技術】
【０００２】
建物では、エレベータ装置を設けることが考えられている（特許文献１参照）。このエレベータ装置は、ガイドレール等が断面Ｌ字状のエレベータ金具により昇降路を構成する梁に固定されることで、昇降路内を上下に移動可能とされている。
【先行技術文献】
【特許文献】
【０００３】
【特許文献１】特開平０８−２４５１１２号公報
【発明の概要】
【発明が解決しようとする課題】
【０００４】
しかしながら、上記したエレベータ金具は、梁に固定された一片から、他辺が昇降路内へと伸びるものとされているため、昇降路内においてエレベータ装置の設置に利用できる空間が狭くなってしまう。
【０００５】
本開示は、上記の事情に鑑みて為されたもので、昇降路におけるエレベータ装置の設置に利用できる空間を阻害することを抑制しつつエレベータ装置を梁に固定できるエレベータ金具を提供することを目的とする。
【課題を解決するための手段】
【０００６】
上記した目的を達成するために、本開示のエレベータ金具は、エレベータ装置が設けられる昇降路を構成する梁に固定される板状の梁固定板部と、前記エレベータ装置が固定される板状の装置固定板部と、を備え、前記梁固定板部と前記装置固定板部とは、平行としつつ間隔を置いて並列されていることを特徴とする。ここで、前記梁固定板部と前記装置固定板部とは、単一の板材料が曲げられて形成されている構成とすることができる。また、前記梁固定板部と前記装置固定板部とは、補強リブで連結されている構成とすることができる。さらに、前記装置固定板部には、長尺方向と直交する方向に伸びる長尺な長穴とされたネジ穴が設けられている構成とすることができる。
【０００７】
上記したエレベータ金具が前記梁に対して鉛直方向で重なって設けられている建物としてもよい。その場合、前記エレベータ金具は、前記エレベータ装置におけるガイドレールを前記梁に固定している構成としてもよい。また、前記エレベータ金具は、前記エレベータ装置における建物側扉機構を前記梁に固定している構成とすることができる。
【発明の効果】
【０００８】
このように構成された本開示のエレベータ金具は、昇降路におけるエレベータ装置の設置に利用できる空間を阻害することを抑制しつつエレベータ装置を梁に固定できる。
【０００９】
ここで、前記梁固定板部と前記装置固定板部とは、単一の板材料が曲げられて形成されている構成であれば、簡単な構成で梁固定板部と装置固定板部とを平行としつつ並列させることができる。また、前記梁固定板部と前記装置固定板部とは、補強リブで連結されている構成であれば、梁固定板部と装置固定板部との位置関係を補強リブにより維持することができる。さらに、前記装置固定板部には、長尺方向と直交する方向に伸びる長尺な長穴とされたネジ穴が設けられている構成とすると、エレベータ金具が、自身の長尺方向と直交する方向、すなわち昇降路を構成する梁の長尺方向と直交する方向で、エレベータ装置を固定する位置を調節することができる。
【００１０】
上記したエレベータ金具が前記梁に対して鉛直方向で重なって設けられている建物であれば、昇降路を効率良く利用してエレベータ装置を設けることができる。その場合、前記エレベータ金具は、前記エレベータ装置におけるガイドレールを前記梁に固定している構成であれば、昇降路を効率良く利用してエレベータ装置のガイドレールを昇降路に固定することができる。また、前記エレベータ金具は、前記エレベータ装置における建物側扉機構を前記梁に固定している構成であれば、昇降路を効率良く利用してエレベータ装置の建物側扉機構を昇降路に固定することができる。
【図面の簡単な説明】
【００１１】
【図１】本開示に係る第１エレベータ金具によりエレベータ装置が設けられるユニット建物の一部の構成を示す説明図である。
【図２】建物ユニットの床フレームを示す説明図である。
【図３】建物ユニットの屋根フレームを示す説明図である。
【図４】エレベータ装置の一対のガイドレールが第１エレベータ金具により１階建物ユニットの屋根補助梁と床小梁とに固定される様子を示す説明図である。
【図５】第１エレベータ金具の構成を示す説明図である。
【図６】第１エレベータ金具が屋根補助梁や床小梁に固定された様子を断面で示す説明図である。
【図７】第２エレベータ金具の構成を示す説明図である。
【図８】第２エレベータ金具が屋根補助梁や床小梁に固定された様子を断面で示す説明図である。
【図９】２階建物ユニットの昇降路の最上部に天井材を設ける様子を示す説明図である。
【図１０】第２エレベータ金具と天井材と各木桟との位置関係を断面で示す説明図である。
【図１１】実施例２の建物ユニットの屋根フレームを示す図３と同様の説明図である。
【図１２】エレベータ装置の一対のガイドレールが第２エレベータ金具および第１エレベータ金具により１階建物ユニットの屋根補助梁と床小梁とに固定される様子を示す図４と同様の説明図である。
【図１３】第２エレベータ金具が屋根補助梁や床小梁に固定された様子を断面で示す図６と同様の説明図である。
【発明を実施するための形態】
【００１２】
以下に、本開示に係るエレベータ金具の一例としての実施例１の第１エレベータ金具５０と、それが用いられてエレベータ装置３０が設けられた建物の一例としてのユニット建物１０と、について図面を参照しつつ説明する。
【実施例１】
【００１３】
本開示の実施例１の第１エレベータ金具５０と、それにより固定されたエレベータ装置３０と、それらが適用されたユニット建物１０と、について、図１から図１０を用いて説明する。第１エレベータ金具５０は、実施例１では、建物の一例としてのユニット建物１０に適用されている。
【００１４】
ユニット建物１０は、その一部が、図１に示すように、基礎の上に１階部分を形成する１階建物ユニット１１が設けられ、その上に２階部分を形成する２階建物ユニット１２が組付けられている。１階建物ユニット１１および２階建物ユニット１２は、工場で予め形成されて箱状とされており、各居室空間の床面を形成する床フレーム１３（図２参照）と、各居室空間の天井面を形成する屋根フレーム１４（図３参照）と、が鉛直方向に伸びる柱部材１５で連結されて構成されている。なお、実施例１のユニット建物１０は、１階建物ユニット１１および２階建物ユニット１２により２階建てとされているが、その階数は適宜設定すればよく、実施例１の構成に限定されない。
【００１５】
床フレーム１３は、図２に示すように、長方形状に枠組みされた床大梁２１の内側に複数の床小梁２２が架け渡されて構成されている。床小梁２２は、図２を正面視して、縦方向に両床大梁２１を架け渡す複数（図２の例では９つ）の床小梁２２１と、床フレーム１３の中心近傍の２つの床小梁２２１を横方向に架け渡す床小梁２２２と、上側の床大梁２１と床小梁２２２と縦方向に架け渡す２つ床小梁２２３と、を有する。床フレーム１３では、中心近傍の２つの床小梁２２１の一部と、床小梁２２２と、図２を正面視して下側の床大梁２１の一部と、が矩形状に枠組みされており、矩形状の昇降路開口２３が形成されている。
【００１６】
屋根フレーム１４は、図３に示すように、長方形状に枠組みされた天井大梁２４の内側に複数の屋根補助梁２５が架け渡されて構成されている。屋根補助梁２５は、床フレーム１３における中心近傍の２つの床小梁２２１に対応する屋根補助梁２５１と、床フレーム１３における床小梁２２２に対応する屋根補助梁２５２と、を有する。屋根フレーム１４では、２つの屋根補助梁２５１の一部と、屋根補助梁２５２と、図３を正面視して下側の天井大梁２４の一部と、が矩形状に枠組みされており、矩形状の昇降路開口２３を形成している。
【００１７】
１階建物ユニット１１および２階建物ユニット１２では、床フレーム１３および屋根フレーム１４の両昇降路開口２３の間で鉛直方向に伸びる空間が昇降路２６とされる。ユニット建物１０では、図１に示すように、１階建物ユニット１１上に２階建物ユニット１２が組み付けられると、それぞれの床フレーム１３および屋根フレーム１４に設けられた昇降路開口２３が鉛直方向に並べられる。これにより、ユニット建物１０では、各建物ユニット（１１、１２）の昇降路２６が上下に連続される。この昇降路２６にエレベータ装置３０（図４参照）が設けられる。ここで、ユニット建物１０において最上階となる２階建物ユニット１２の昇降路２６の最上部には、後述するように天井材２７（図９等参照）が取り付けられ、上下に連続する昇降路２６の最上部が遮蔽されている。
【００１８】
１階建物ユニット１１および２階建物ユニット１２では、図２および図３を正面視して、昇降路２６の上方の位置に設けられる空間がエレベータホールとされ、昇降路２６およびエレベータホールの両側の位置に設けられる空間に居室や階段やバスユニット等が適宜設置される。このため、床小梁２２２および屋根補助梁２５２は、昇降路２６とエレベータホールとを区画するように設けられている。
【００１９】
エレベータ装置３０は、図４に示すように、一対のガイドレール３１とかご３２と支持枠３３と油圧ジャッキ３４とを備える。一対のガイドレール３１は、支持枠３３の移動を鉛直方向に案内するものであり、上端部３１ａと下端部３１ｂとにそれぞれ設けられたレールブラケット３５に固定されることで、所定の間隔を置いて対向されている。各レールブラケット３５は、固定箇所３５ａが両ガイドレール３１に外側から固定され、その両固定箇所３５ａが連結箇所３５ｂで連結されて構成されている。各レールブラケット３５は、連結箇所３５ｂにおいて、連結箇所３５ｂの伸びる方向に長尺な３つのネジ穴３６が設けられ、その各ネジ穴３６を用いて後述する第１エレベータ金具５０に固定される。上端部３１ａに設けられたレールブラケット３５は、第１エレベータ金具５０を介して屋根補助梁２５１に固定され、下端部３１ｂに設けられたレールブラケット３５は、第１エレベータ金具５０を介して床小梁２２１に固定されている。一対のガイドレール３１は、２階建物ユニット１２においても図４と同様に固定されて設けられる。そして、１階建物ユニット１１に固定されたガイドレール３１の上端部と、２階建物ユニット１２に固定されたガイドレール３１の下端部と、が付き合わされた状態で連結部材により連結されることで、一対のガイドレール３１が上下に連続された両昇降路２６に跨って設けられている。
【００２０】
かご３２は、人等が乗り込む空間を形成するもので、エレベータホール側に開閉可能とされたかご側扉が設けられている。このかご３２は、支持枠３３に支持されて設けられる。その支持枠３３は、一対のガイドレール３１により移動が鉛直方向に案内される縦枠部３７と、その縦枠部３７の下端に固定されて設けられてかご３２が載せられる設置枠部３８と、を有する。縦枠部３７は、枠材が矩形状に組み合わされて形成され、一対のガイドレール３１の間に位置させることができる大きさとされている。縦枠部３７では、両側の上端部と下端部とにガイド部材３９（図４では手前側の２つのみ図示）が設けられている。各ガイド部材３９は、ガイドロールまたはガイドシューとして構成されており、ガイドレール３１に沿って移動することが可能とされている。これにより、縦枠部３７は、一対のガイドレール３１により鉛直方向に移動可能とされている。設置枠部３８は、水平方向に沿って伸びる板状部材であり、固定された縦枠部３７とともに鉛直方向に移動可能とされている。設置枠部３８は、かご３２が載せられた状態で固定される。
【００２１】
油圧ジャッキ３４は、かご３２を支持する支持枠３３を上下駆動するための駆動手段であり、図４に示す状態から伸びることが可能とされている。油圧ジャッキ３４は、１階建物ユニット１１の昇降路２６内に設けられたエレベータ装置用基礎４１に固定されたスタンド４２に取り付けられている。油圧ジャッキ３４は、先端部３４ａが支持枠３３の縦枠部３７の上端板材３７ａに固定されており、駆動されると上端板材３７ａを介して縦枠部３７を上下に移動させることにより、かご３２が載せられた支持枠３３を上下に移動させる。
【００２２】
次に、第１エレベータ金具５０について、図５および図６を用いて説明する。なお、図６では、第１エレベータ金具５０が屋根補助梁２５１に固定された様子を実線で示し、床小梁２２１に固定された様子を二点鎖線で示している。第１エレベータ金具５０は、図５に示すように、板状部材が断面Ｕ字形状に屈曲されて構成され、水平方向に伸びて長尺とされた梁固定板部５１と、そこと間隔を置きつつ水平方向に伸びて長尺とされた装置固定板部５２と、梁固定板部５１と装置固定板部５２とを繋ぐ接続板部５３と、を有する。接続板部５３は、梁固定板部５１の短尺方向の一端から、装置固定板部５２の短尺方向の一端へ向けて伸びている。このため、梁固定板部５１と装置固定板部５２とは、互いの板平面を対向させるように平行とされつつ、板平面に直交する各法線方向で間隔を置いて並列されて設けられている。
【００２３】
梁固定板部５１は、対応する梁の上面または下面に面が宛がわれた状態で固定される箇所であり、実施例１では長尺方向を対応する梁が伸びる方向と一致させた状態で上面または下面に溶接により固定される（図４、図６参照）。梁固定板部５１は、屋根補助梁２５１に固定される場合にはその下面２５１ａに溶接され（図４、図６参照）、床小梁２２１に固定される場合にはその上面２２１ａに溶接される（図４、図６の二点鎖線参照）。
【００２４】
装置固定板部５２は、対応するレールブラケット３５が固定される箇所であり、５つのネジ穴５４が設けられている。各ネジ穴５４は、装置固定板部５２の長尺方向と直交する方向に伸びる長尺な長穴とされている。装置固定板部５２は、実施例１では、内側の３つのネジ穴５４が対応するレールブラケット３５の３つのネジ穴３６とそれぞれ対向された状態で、通された締結部材により締結されることで、レールブラケット３５に固定される（図４の一点鎖線参照）。
【００２５】
第１エレベータ金具５０では、梁固定板部５１と装置固定板部５２とを連結する補強リブ５５が設けられている。補強リブ５５は、梁固定板部５１および装置固定板部５２の互いの板平面に直交する方向（法線方向）に沿って伸びる平面状とされ、梁固定板部５１と装置固定板部５２と接続板部５３との各内側面に亘り固定されている（図６参照）。補強リブ５５は、実施例１では、真ん中のネジ穴５４と、その両隣のネジ穴５４とのそれぞれの間の２箇所に設けられ、少なくとも梁固定板部５１および装置固定板部５２に溶接されて設けられている。第１エレベータ金具５０では、各補強リブ５５により、梁固定板部５１と装置固定板部５２との位置関係が維持されている。
【００２６】
第１エレベータ金具５０は、図４に示すように、１つが屋根補助梁２５１の下面２５１ａに梁固定板部５１が溶接されて設けられ（図６参照）、もう１つが床小梁２２１の上面２２１ａに梁固定板部５１が溶接されて設けられる（図６の二点鎖線参照）。屋根補助梁２５１に固定された第１エレベータ金具５０では、装置固定板部５２の下方に対応するレールブラケット３５の連結箇所３５ｂが位置されて、３つのネジ穴５４と３つのネジ穴３６とがそれぞれ鉛直方向で対向される。また、床小梁２２１に固定された第１エレベータ金具５０では、装置固定板部５２の上方に対応するレールブラケット３５の連結箇所３５ｂが位置されて、３つのネジ穴５４と３つのネジ穴３６とがそれぞれ鉛直方向で対向される。このとき、各ネジ穴５４と各ネジ穴３６とは、各ネジ穴５４が装置固定板部５２の長尺方向と直交する方向に伸びる長穴とされ、各ネジ穴３６が連結箇所３５ｂの伸びる方向に長穴とされているので、十字状に重ねられる。このため、各ネジ穴５４と各ネジ穴３６とは、装置固定板部５２と連結箇所３５ｂとの水平方向の位置の調整を可能としつつ、締結部材を通すことができる。各ネジ穴５４および各ネジ穴３６に締結部材が通されて締め付けられることで、各装置固定板部５２と各レールブラケット３５とが締結される。この２つのレールブラケット３５は、上述したように、一方が一対のガイドレール３１の上端部３１ａに固定され、他方が一対のガイドレール３１の下端部３１ｂに固定されている。このため、第１エレベータ金具５０は、一対のガイドレール３１を昇降路２６に固定することができる。
【００２７】
エレベータ装置３０では、図２および図３に示すように、昇降路２６とエレベータホールとの間に建物側扉機構４３が設けられる。建物側扉機構４３は、１階建物ユニット１１や２階建物ユニット１２側の開閉される扉を構成するもので、昇降路２６とエレベータホールとを区画して設けられた床小梁２２２および屋根補助梁２５２に、第２エレベータ金具６０を介して固定されて設けられる。
【００２８】
その第２エレベータ金具６０について、図７および図８を用いて説明する。なお、図８では、第２エレベータ金具６０が屋根補助梁２５２に固定された様子を実線で示し、床小梁２２２に固定された様子を二点鎖線で示している。第２エレベータ金具６０は、図７に示すように、板状部材が断面Ｌ字形状に屈曲されて構成され、鉛直方向に伸びて長尺とされた梁固定板部６１と、その下端に接続されて水平方向に伸びて長尺とされた装置固定板部６２と、を有する。このため、梁固定板部６１と装置固定板部６２とは、互いの板平面が直交されつつ、隣接されて設けられている。
【００２９】
梁固定板部６１は、対応する梁の側面に面が宛がわれた状態で固定される箇所であり、実施例１では長尺方向を対応する梁が伸びる方向と一致させた状態で側面に溶接により固定される（図８参照）。梁固定板部６１は、屋根補助梁２５２に固定される場合にはその昇降路２６側の側面２５２ａに溶接され、床小梁２２２に固定される場合にはその昇降路２６側の側面２２２ａに溶接される（図４、図８参照）。
【００３０】
装置固定板部６２は、建物側扉機構４３における対応する部材が固定される箇所であり、５つのネジ穴６３が設けられている。各ネジ穴６３は、装置固定板部６２の長尺方向と直交する方向に伸びる長尺な長穴とされている。装置固定板部６２は、実施例１では、内側の３つのネジ穴６３が対応する部材の３つのネジ穴とそれぞれ対向された状態で、通された締結部材により締結されることで、対応する部材（建物側扉機構４３）に固定される。
【００３１】
第２エレベータ金具６０では、梁固定板部６１と装置固定板部６２とを連結する補強リブ６４が設けられている。補強リブ６４は、梁固定板部６１および装置固定板部６２の互いの板平面に直交する方向（法線方向）に沿って伸びる平面状とされ、梁固定板部６１と装置固定板部６２との各内側面を架け渡して固定されている（図８参照）。補強リブ６４は、実施例１では、真ん中のネジ穴６３と、その両隣のネジ穴６３とのそれぞれの間の２箇所に設けられ、梁固定板部６１および装置固定板部６２に溶接されて設けられている。第２エレベータ金具６０では、各補強リブ６４により、梁固定板部６１と装置固定板部６２との位置関係が維持されている。
【００３２】
第２エレベータ金具６０は、図２および図３に示すように、１つが屋根補助梁２５２の側面２５２ａに梁固定板部６１が溶接されて設けられ（図８参照）、もう１つが床小梁２２２の側面２２２ａに梁固定板部６１が溶接されて設けられる（図８の二点鎖線参照）。屋根補助梁２５２に固定された第２エレベータ金具６０は、ネジ穴６３を用いて建物側扉機構４３の上部に設けられた部材に固定され、床小梁２２２に固定された第２エレベータ金具６０は、ネジ穴６３を用いて建物側扉機構４３の下部に設けられた部材に固定される。このため、第２エレベータ金具６０は、昇降路２６とエレベータホールとを区画する箇所に、建物側扉機構４３を固定することができる。
【００３３】
エレベータ装置３０は、上記したように、第１エレベータ金具５０により一対のガイドレール３１が昇降路２６に固定されるとともに、第２エレベータ金具６０により建物側扉機構４３が昇降路２６とエレベータホールとを区画する箇所に固定されて設けられる。エレベータ装置３０では、昇降路２６に関連して各種スイッチ類、配線等が設けられるとともに、操作のためのコントローラがエレベータホール等に設けられ、人等をかご３２に載せて上下に移動することが可能となる。
【００３４】
この昇降路２６では、図９および図１０に示すように、２階建物ユニット１２の昇降路２６の最上部に天井材２７（図９等参照）が取り付けられる。天井材２７は、防火性を有する材料から形成された板状とされており、鉛直方向で見て昇降路開口２３よりも小さな大きさの矩形状とされている。天井材２７は、格子状に組み合わされた木桟２８の中央部の下面に固定されて設けられる。
【００３５】
木桟２８は、昇降路開口２３を形成する２つの屋根補助梁２５１を架け渡す４つの長尺な主木桟２８１（図１０参照）と、各主木桟２８１に直交する方向に伸びる複数の長尺な従木桟２８２と、を有し、それらが格子状に組み合わされている。各従木桟２８２は、屋根補助梁２５２と図３を正面視して屋根補助梁２５２の下側の主木桟２８１との間や、隣り合う主木桟２８１の間や、図３を正面視して下側の天井大梁２４の一部とその上側の主木桟２８１との間を架け渡して設けられている。この各主木桟２８１および各従木桟２８２は、後述するように昇降路開口２３を架け渡すものであれば、本数や位置は適宜設定すればよく、実施例１の構成に限定されない。
【００３６】
各木桟２８では、長尺方向の端部において、その下面を部分的に切り欠いた設置凹所２８ａと、設置凹所２８ａを部分的に凹ました受入凹所２８ｂと、が設けられている。設置凹所２８ａは、屋根補助梁２５２に設けられた第２エレベータ金具６０の装置固定板部６２に載せられる箇所であり、装置固定板部６２に載せた状態において装置固定板部６２の下面と木桟２８の下面とを同一平面上に位置させる大きさとされている。受入凹所２８ｂは、装置固定板部６２に建物側扉機構４３を固定する際に用いる締結部材を受け入れるもので、設置凹所２８ａが装置固定板部６２に載せられた際に木桟２８と締結部材との干渉を防止する。このため、設置凹所２８ａと受入凹所２８ｂとは、第２エレベータ金具６０が設けられた屋根補助梁２５２に架け渡される箇所に設けられることとなる。すなわち、実施例１では、屋根補助梁２５２に架け渡される２つの従木桟２８２の屋根補助梁２５２側の端部に、設置凹所２８ａと受入凹所２８ｂとが設けられる。これにより、この従木桟２８２は、屋根補助梁２５２に設けられた第２エレベータ金具６０の装置固定板部６２に載せることができる。
【００３７】
ここで、図３を正面視して右側の屋根補助梁２５１では、レールブラケット３５の固定のために第１エレベータ金具５０を用いている。その第１エレベータ金具５０に換えて第２エレベータ金具６０でレールブラケット３５を固定するか、第１エレベータ金具５０とは別に第２エレベータ金具６０を屋根補助梁２５１の昇降路２６側に設けるものとする。また、図３を正面視して左側の屋根補助梁２５１でも、第２エレベータ金具６０を昇降路２６側に設けるものとする。そして、４つの主木桟２８１は、長尺方向の両端部において、設置凹所２８ａと受入凹所２８ｂとを設けることで、屋根補助梁２５２への２つの従木桟２８２と同様に、昇降路開口２３を形成する両屋根補助梁２５１の第２エレベータ金具６０の装置固定板部６２に載せることができる。
【００３８】
さらに、図３を正面視して下側の天井大梁２４の一部でも、第２エレベータ金具６０を天井大梁２４の昇降路２６側に設けるとともに、その天井大梁２４に架け渡される複数の従木桟２８２にも設置凹所２８ａと受入凹所２８ｂとを設けるものとする。すると、その複数の従木桟２８２は、屋根補助梁２５２への２つの従木桟２８２と同様に、昇降路開口２３を形成する下側の天井大梁２４の第２エレベータ金具６０の装置固定板部６２に載せることができる。
【００３９】
このように、格子状に組み合わされた木桟２８は、昇降路開口２３を形成する各屋根補助梁２５１の第２エレベータ金具６０に４つの主木桟２８１の各端部を載せることで、図３を正面視して昇降路開口２３を左右に架け渡して設けることができる。また、格子状に組み合わされた木桟２８は、昇降路開口２３を形成する屋根補助梁２５２の第２エレベータ金具６０に２つの従木桟２８２の端部を載せるとともに、昇降路開口２３を形成する天井大梁２４の一部の第２エレベータ金具６０に複数の従木桟２８２の端部を載せることで、図３を正面視して昇降路開口２３を上下に架け渡して設けることができる。すなわち、格子状に組み合わされた木桟２８は、図３を正面視して昇降路２６を構成する各梁（昇降路開口２３）に対して、上下左右の４方向のそれぞれが第２エレベータ金具６０に載せられている。天井材２７は、格子状に組み合わされた木桟２８の中央部の下面に固定されて設けられているので、２階建物ユニット１２の屋根フレーム１４における昇降路開口２３の中央付近を遮蔽するように設けられる。なお、昇降路開口２３では、天井材２７との間（図３を正面視して天井材２７上下左右）に遮蔽されていない領域が生じるが、これらには木桟２８を用いて防火性を有する天井材を適宜設けることで、２階建物ユニット１２の屋根フレーム１４の昇降路開口２３すなわち昇降路２６の最上部を全面に亘り遮蔽できる。これにより、昇降路２６では、防火性を確保することができる。
【００４０】
このように、昇降路２６（昇降路開口２３）では、格子状に組み合わされた木桟２８に天井材２７を取り付けることで、第２エレベータ金具６０を利用して天井材２７を簡易に設けることができる。ここで、昇降路２６では、それを構成する各梁にエレベータ装置３０を固定することから、各梁に天井材２７を設けることが困難となる。ところが、上記した構成では、昇降路２６を構成する各梁にエレベータ装置３０を固定する第２エレベータ金具６０を利用して天井材２７を設けているので、エレベータ装置３０を固定しつつ天井材２７を設けることができる。
【００４１】
第１エレベータ金具５０は、上記した構成であることから、昇降路２６を構成する床小梁２２１の上面２２１ａに梁固定板部５１を固定すると、装置固定板部５２を床小梁２２１の上方に位置させることができる（図６参照）。また、第１エレベータ金具５０は、昇降路２６を構成する屋根補助梁２５１の下面２５１ａに梁固定板部５１を固定すると、装置固定板部５２を屋根補助梁２５１の下方に位置させることができる（図６参照）。このため、第１エレベータ金具５０は、床小梁２２１や屋根補助梁２５１と鉛直方向に重ねて設けることができ、昇降路２６におけるエレベータ装置３０の設置に利用できる空間を阻害することを抑制できる。
【００４２】
本開示に係るエレベータ金具の一実施例の第１エレベータ金具５０は、以下の各作用効果を得ることができる。
【００４３】
第１エレベータ金具５０は、昇降路２６を構成する梁（床小梁２２１、屋根補助梁２５１）に固定される板状の梁固定板部５１と、エレベータ装置３０が固定される板状の装置固定板部５２と、が平行としつつ間隔を置いて並列されて構成されている。このため、第１エレベータ金具５０は、梁固定板部５１を梁と長尺方向を一致させつつ梁の上面または下面に面で接触させて固定することで、梁固定板部５１および装置固定板部５２を梁と鉛直方向に重ねて設けることができ、昇降路２６におけるエレベータ装置３０の設置に利用できる空間の阻害を抑制できる。
【００４４】
また、第１エレベータ金具５０は、梁固定板部５１と装置固定板部５２とが単一の板材料が曲げられて形成されている。このため、第１エレベータ金具５０は、簡単な構成で梁固定板部５１と装置固定板部５２とを平行としつつ間隔を置いて並列させることができる。
【００４５】
さらに、第１エレベータ金具５０は、梁固定板部５１と装置固定板部５２とが補強リブ５５で連結されている。このため、第１エレベータ金具５０は、梁固定板部５１と装置固定板部５２との位置関係が補強リブ５５により維持されており、昇降路２６におけるエレベータ装置３０の設置に利用できる空間を阻害することをより適切に抑制しつつエレベータ装置３０を固定することができる。
【００４６】
第１エレベータ金具５０は、装置固定板部５２において、長尺方向と直交する方向に伸びる長尺な長穴とされたネジ穴５４が設けられている。このため、第１エレベータ金具５０は、自身の長尺方向と直交する方向、すなわち昇降路２６を構成する梁（床小梁２２１、屋根補助梁２５１）の長尺方向と直交する方向で、エレベータ装置３０を固定する位置を調節することができる。これにより、第１エレベータ金具５０は、エレベータ装置３０をより適切にかつ自由度を有して固定することができる。
【００４７】
ユニット建物１０は、上記した第１エレベータ金具５０が梁（床小梁２２１、屋根補助梁２５１）に対して鉛直方向で重なって設けられている。このため、ユニット建物１０は、昇降路２６を効率良く利用してエレベータ装置３０を設けることができ、他のことに利用する空間を大きくしたり、用いるエレベータ装置３０を大きなものとしたりすることができる。
【００４８】
ユニット建物１０は、第１エレベータ金具５０がエレベータ装置３０におけるガイドレール３１を梁に固定している。このため、ユニット建物１０は、昇降路２６を効率良く利用してエレベータ装置３０のガイドレール３１を昇降路２６に固定することができる。
【００４９】
したがって、本開示に係るエレベータ金具としての実施例１の第１エレベータ金具５０は、昇降路２６におけるエレベータ装置３０の設置に利用できる空間を阻害することを抑制するとともに、昇降路２６を構成する梁（床小梁２２１、屋根補助梁２５１）にエレベータ装置３０を固定できる。
【実施例２】
【００５０】
次に、本開示の一実施形態である実施例２のユニット建物１０Ａについて、図１１から図１３を用いて説明する。ユニット建物１０Ａは、第２エレベータ金具６０を用いる箇所や屋根フレーム１４Ａの構成を、実施例１のユニット建物１０から変更したものである。ユニット建物１０Ａは、基本的な概念および構成が図１から図１０に示す実施例１のユニット建物１０と同様であるので、等しい構成の個所には同じ符号を付し、詳細な説明は省略する。
【００５１】
実施例２のユニット建物１０Ａでは、エレベータ装置３０の一対のガイドレール３１の上端部３１ａに設けたレールブラケット３５の固定に用いるものを、第１エレベータ金具５０から第２エレベータ金具６０に変更している。これに伴い、ユニット建物１０Ａでは、図１１に示すように、屋根フレーム１４Ａにおいて、この図１１を正面視して昇降路２６の右側に位置する屋根補助梁２５１Ａを実施例１の屋根フレーム１４の屋根補助梁２５１よりも右側に変位させ、屋根補助梁２５２Ａを実施例１の屋根補助梁２５２よりも長いものとしている。すなわち、屋根補助梁２５１Ａは、実施例１のユニット建物１０よりもエレベータ装置３０から離れた位置に設けられている。これにより、ユニット建物１０Ａは、後述するように、第１エレベータ金具５０から第２エレベータ金具６０への変更に伴うエレベータ装置３０のレールブラケット３５との締結箇所の変位を吸収できる（図１２等参照）。
【００５２】
また、ユニット建物１０Ａでは、図１３に示すように、屋根補助梁２５１Ａおよび屋根補助梁２５２Ａの断面をコ字形状としている。なお、この屋根補助梁２５１Ａおよび屋根補助梁２５２Ａは、実施例１のように断面を矩形状としてもよく、実施例１の屋根補助梁２５１および屋根補助梁２５２の断面をコ字形状としてもよく、各実施例の構成に限定されない。
【００５３】
第２エレベータ金具６０は、図１１から図１３に示すように、屋根補助梁２５１Ａの昇降路２６側の側面２５１ｂ（図１３参照）に梁固定板部６１が溶接されて設けられる。この第２エレベータ金具６０は、装置固定板部６２の下方に、一対のガイドレール３１の上端部３１ａに固定されたレールブラケット３５の連結箇所３５ｂが位置されて、３つのネジ穴６３と３つのネジ穴３６とがそれぞれ鉛直方向で対向される（図１２参照）。このとき、各ネジ穴６３と各ネジ穴３６とは、各ネジ穴６３が装置固定板部６２の長尺方向と直交する方向に伸びる長穴とされ、各ネジ穴３６が連結箇所３５ｂの伸びる方向に長穴とされているので、十字状に重ねられる。このため、各ネジ穴６３と各ネジ穴３６とは、装置固定板部６２と連結箇所３５ｂとの水平方向の位置の調整を可能としつつ、締結部材を通すことができる。各ネジ穴６３および各ネジ穴３６に締結部材が通されて締め付けられることで、装置固定板部６２とレールブラケット３５とが締結される。
【００５４】
この一対のガイドレール３１の下端部３１ｂに固定されたレールブラケット３５は、実施例１と同様に第１エレベータ金具５０により床小梁２２１に固定されている（図６の二点鎖線参照）。このため、一対のガイドレール３１は、上部が第２エレベータ金具６０によりかつ下部が第１エレベータ金具５０により、それぞれ昇降路２６に固定される。
【００５５】
ここで、第２エレベータ金具６０は、梁固定板部６１が屋根補助梁２５１Ａの側面２５１ｂに固定されており、そこから図１１を正面視して左側に装置固定板部６２が突出されている。これに対し、第１エレベータ金具５０は、梁固定板部５１が床小梁２２１の上面２２１ａに固定されており、その上方（図２を正面視して重なる位置）に装置固定板部５２が位置している。このため、屋根補助梁２５１Ａと床小梁２２１とが鉛直方向で並ぶ位置関係とされていると、装置固定板部６２と装置固定板部５２との水平方向での位置が異なるものとなる。
【００５６】
ところが、ユニット建物１０Ａは、屋根フレーム１４Ａにおける昇降路２６の右側の屋根補助梁２５１Ａを、屋根フレーム１４よりも図１１を正面視して右側に変位させているので、床フレーム１３における昇降路２６の右側の床小梁２２１よりも屋根補助梁２５１Ａが右側に変位している。これにより、ユニット建物１０Ａは、上記したように設けられた第２エレベータ金具６０の装置固定板部６２と、第１エレベータ金具５０の装置固定板部５２と、を鉛直方向に並ぶ位置関係とにできる（図１２参照）。このため、ユニット建物１０Ａは、エレベータ装置３０における一対のガイドレール３１および各レールブラケット３５の変更を招くことなく、一対のガイドレール３１を第１エレベータ金具５０および第２エレベータ金具６０により床小梁２２１および屋根補助梁２５１Ａに固定できる。なお、両レールブラケット３５は、鉛直方向に並ぶ位置関係とされていなくてもよく、実施例２の構成に限定されない。
【００５７】
このユニット建物１０Ａは、実施例１と同様に、昇降路２６とエレベータホールとの間に、エレベータ装置３０の建物側扉機構４３が設けられる（図１１参照）。この建物側扉機構４３の固定には、屋根補助梁２５２Ａの側面２５２ａに梁固定板部６１が固定された第２エレベータ金具６０（図１３参照）と、床小梁２２２の側面２２２ａに梁固定板部６１が固定された第２エレベータ金具６０（図８の二点鎖線参照）と、が用いられる。建物側扉機構４３は、両第２エレベータ金具６０の装置固定板部６２のネジ穴６３を用いて、上部および下部に設けられた部材がそれぞれ装置固定板部６２に固定されることで、昇降路２６とエレベータホールとを区画する箇所に設けられる。
【００５８】
実施例２の第１エレベータ金具５０は、実施例１の第１エレベータ金具５０と同様の構成であって、ユニット建物１０Ａでは実施例１のユニット建物１０と同様の用いられ方をしているので、実施例１と同様の効果を得られる。
【００５９】
それに加えて、ユニット建物１０Ａは、屋根フレーム１４Ａにおける屋根補助梁２５１Ａの位置や屋根補助梁２５２Ａの長さを変更しつつ、第２エレベータ金具６０により屋根補助梁２５１Ａとエレベータ装置３０の上側のレールブラケット３５とを固定している。このため、ユニット建物１０Ａは、エレベータ装置３０の変更を招くことなく、適宜第１エレベータ金具５０や第２エレベータ金具６０を使い分けて固定できる。このことは、他の第１エレベータ金具５０や第２エレベータ金具６０を用いる箇所でも同様である。これにより、ユニット建物１０Ａは、組み付けの自由度を拡げつつ確実にエレベータ装置３０を固定できる。
【００６０】
したがって、本開示に係るエレベータ金具としての実施例２の第１エレベータ金具５０は、昇降路２６におけるエレベータ装置３０の設置に利用できる空間を阻害することを抑制するとともに、昇降路２６を構成する梁（床小梁２２１）にエレベータ装置３０を固定できる。
【００６１】
以上、本開示のエレベータ金具および建物を実施例１および実施例２に基づき説明してきたが、具体的な構成については実施例１および実施例２に限られるものではなく、特許請求の範囲の各請求項に係る発明の要旨を逸脱しない限り、設計の変更や追加等は許容される。
【００６２】
例えば、実施例１および実施例２では、適用する建物として１階建物ユニット１１の上に２階建物ユニット１２を設けたユニット建物１０を例示している。しかしながら、適用する建物は、エレベータ装置３０を設ける昇降路２６が鉛直方向に並べられて設けられているものであれば、３つ以上の建物ユニット（昇降路２６）を鉛直方向に重ねたものでもよく、他の構成の建物でもよく、実施例１および実施例２の構成に限定されない。
【００６３】
また、実施例１および実施例２では、かご３２が載せられた支持枠３３を上下駆動するための駆動手段として油圧ジャッキ３４を用いる例を示したが、他の例でもよく、実施例１および実施例２の構成に限定されない。この他の例としては、ワイヤでかごを吊り下げて上下するものがあり、この場合、ワイヤを巻き取って駆動するための駆動手段を最下階の建物ユニットに取付けるものがある。このワイヤにより吊り下げるものは、最上階の建物ユニットにワイヤ吊り下げるための滑車を取付け、ワイヤの一端部をかごに固定し、滑車に掛けたワイヤの他端を最下階の建物ユニットに設ける駆動手段に取付けることで構成できる。
【００６４】
さらに、実施例１および実施例２では、第１エレベータ金具５０が、昇降路２６を構成する梁（床小梁２２１、屋根補助梁２５１）にエレベータ装置３０のガイドレール３１を固定している。しかしながら、本開示に係るエレベータ金具（第１エレベータ金具５０）は、昇降路２６を構成する梁に、エレベータ装置３０の建物側扉機構４３を固定することに用いてもよく、エレベータ装置３０における他の構成部材を固定することに用いてもよく、実施例１および実施例２の構成に限定されない。
【符号の説明】
【００６５】
１０  （建物の一例としての）ユニット建物      ２２１  （梁の一例としての）床小梁      ２５１  （梁の一例としての）屋根補助梁      ２６  昇降路      ３０  エレベータ装置      ３１  ガイドレール      ４３  建物側扉機構      ５０  （エレベータ金具の一例としての）第１エレベータ金具      ５１  梁固定板部      ５２  装置固定板部      ５４  ネジ穴      ５５  補強リブ
【図１】
2019064826.tif 000003
【図２】
2019064826.tif 000004
【図３】
2019064826.tif 000005
【図４】
2019064826.tif 000006
【図５】
2019064826.tif 000007
【図６】
2019064826.tif 000008
【図７】
2019064826.tif 000009
【図８】
2019064826.tif 000010
【図９】
2019064826.tif 000011
【図１０】
2019064826.tif 000012
【図１１】
2019064826.tif 000013
【図１２】
2019064826.tif 000014
【図１３】
2019064826.tif 000015